(57)【要約】【課題】２次元測定データの画像と３次元測定データの画像との間の関係をわかりやすく表示することができる測定装置及び測定方法を提供する。【解決手段】スペクトラムアナライザ１０は、測定者を撮像する撮像部６１と、撮像画像に基づいて測定者の視線方向を検出する視線方向検出部６２と、２Ｄ測定データの画像を生成する２Ｄ画像生成部６３ａと、３Ｄ測定データの画像を生成する３Ｄ画像生成部６３ｂと、２Ｄ測定データ又は３Ｄ測定データの画像を表示する表示画面５２と、表示画面５２に直交する直交方向に対する視線方向の角度が所定角度未満であることを条件に２Ｄ測定データの画像を表示画面に表示させ、直交方向に対する視線方向の角度が所定角度以上であることを条件に視線方向の角度に応じた３Ｄ測定データの画像を時系列に表示画面に表示させる画像表示制御部６５と、を備える。【選択図】図１
2017123019.tif 000002
【特許請求の範囲】
【請求項１】
測定者を撮像する撮像手段（６１）と、
前記撮像手段によって撮像された撮像画像に基づいて前記測定者の視線方向（９１）を検出する視線方向検出手段（６２）と、
互いに直交する３つの予め定められた測定軸のうちの２つの測定軸で表される２次元測定データの画像（７０）を生成する２次元測定データ画像生成手段（６３ａ）と、
前記３つの測定軸で表される３次元測定データの画像（８０）を生成する３次元測定データ画像生成手段（６３ｂ）と、
前記２次元測定データ又は前記３次元測定データの画像を表示する表示画面（５２）と、
前記表示画面に直交する直交方向（９２）に対する前記視線方向の角度が所定角度未満であることを条件に前記２次元測定データの画像を前記表示画面に表示させ、前記直交方向に対する前記視線方向の角度が所定角度以上であることを条件に前記視線方向の角度に応じた前記３次元測定データの画像を時系列に前記表示画面に表示させる画像表示制御手段（６５）と、
を備えたことを特徴とする測定装置。
【請求項２】
前記表示画面の表面に設けられ前記測定者によるピンチ操作を含むタッチ操作を検知するタッチ操作検知手段（５１）をさらに備え、
前記画像表示制御手段が、前記３次元測定データの画像が前記表示画面に表示されている状態において、前記３つの測定軸のうち第１及び第２の軸（９４、９５）のいずれか一方の軸に対する前記ピンチ操作に応じて前記いずれか一方の軸の尺度を変化させるタッチ操作制御部（６５ｂ）を備え、
前記タッチ操作制御部が、前記表示画面上の所定の方向（９３）に対する前記いずれか一方の軸の傾きに応じて前記ピンチ操作を認識するための閾値を変化させるものであることを特徴とする請求項１に記載の測定装置。
【請求項３】
前記表示画面の表面に設けられ前記測定者によるフリック操作を含むタッチ操作を検知するタッチ操作検知手段（５１）をさらに備え、
前記３つの測定軸は時間軸（８７）を含み、
前記タッチ操作制御部が、前記３次元測定データの画像が前記表示画面に表示されている状態において、前記時間軸に対して前記フリック操作が行われたことを条件に、前記フリック操作の方向に沿って、現在表示されている３次元測定データの取得時刻よりも過去又は未来に測定された３次元測定データの画像を前記表示画面に表示させるものであることを特徴とする請求項１に記載の測定装置。
【請求項４】
前記タッチ操作制御部が、前記表示画面上の所定の方向に対する前記時間軸の傾きに応じて前記フリック操作を認識するための閾値を変化させるものであることを特徴とする請求項３に記載の測定装置。
【請求項５】
測定者を撮像する撮像ステップ（Ｓ１１）と、
前記撮像ステップにおいて撮像された撮像画像に基づいて前記測定者の視線方向（９１）を検出する視線方向検出ステップ（Ｓ１４）と、
互いに直交する３つの予め定められた測定軸のうちの２つの測定軸で表される２次元測定データの画像（７０）を生成する２次元測定データ画像生成ステップ（Ｓ１２）と、
前記３つの測定軸で表される３次元測定データの画像（８０）を生成する３次元測定データ画像生成ステップ（Ｓ１３）と、
前記２次元測定データ又は前記３次元測定データの画像を表示する表示画面（５２）に直交する直交方向（９２）に対する前記視線方向の角度が所定角度未満であることを条件に前記２次元測定データの画像を前記表示画面に表示させ、前記直交方向に対する前記視線方向の角度が所定角度以上であることを条件に前記視線方向の角度に応じた前記３次元測定データの画像を時系列に前記表示画面に表示させる画像表示制御ステップ（Ｓ１６、Ｓ１７）と、
を含むことを特徴とする測定方法。
【発明の詳細な説明】
【技術分野】
【０００１】
本発明は、２次元及び３次元で表される測定データの画像を表示可能な測定装置及び測定方法に関する。
【背景技術】
【０００２】
従来、この種の装置としては、周波数、振幅及び時間の各次元で取得されたＡＰＤ（振幅確率分布）に基づいて、測定者が注視した次元の特定値を中心に、各種の次元の測定データの画像（グラフ）を切り替えて観察できるＡＰＤ測定装置が知られている（特許文献１参照）。
【０００３】
特許文献１に記載の従来の装置は、２次元測定データの画像と３次元測定データの画像との間における切り替えにあたっては、切り替え元の画像上で所望の切り替え先の画像の特定値を指定マーカで指定し、該当する画像を指示することにより切り替えられるようになっている。
【先行技術文献】
【特許文献】
【０００４】
【特許文献１】特開２０１０−２３７１５１号公報
【発明の概要】
【発明が解決しようとする課題】
【０００５】
しかしながら、従来の装置では、３次元測定データの画像の注視点が固定され、また、測定データの画像間の切り替えは指定マーカを介してのみ実行できるものであるので、２次元測定データの画像と３次元測定データの画像との間の関係がわかりづらく、測定結果の把握が困難であるという課題があった。
【０００６】
本発明は、従来の課題を解決するためになされたものであり、２次元測定データの画像と３次元測定データの画像との間の関係をわかりやすく表示することができる測定装置及び測定方法を提供することを目的とする。
【課題を解決するための手段】
【０００７】
本発明の請求項１に係る測定装置は、測定者を撮像する撮像手段（６１）と、前記撮像手段によって撮像された撮像画像に基づいて前記測定者の視線方向（９１）を検出する視線方向検出手段（６２）と、互いに直交する３つの予め定められた測定軸のうちの２つの測定軸で表される２次元測定データの画像（７０）を生成する２次元測定データ画像生成手段（６３ａ）と、前記３つの測定軸で表される３次元測定データの画像（８０）を生成する３次元測定データ画像生成手段（６３ｂ）と、前記２次元測定データ又は前記３次元測定データの画像を表示する表示画面（５２）と、前記表示画面に直交する直交方向（９２）に対する前記視線方向の角度が所定角度未満であることを条件に前記２次元測定データの画像を前記表示画面に表示させ、前記直交方向に対する前記視線方向の角度が所定角度以上であることを条件に前記視線方向の角度に応じた前記３次元測定データの画像を時系列に前記表示画面に表示させる画像表示制御手段（６５）と、を備えた構成を有している。
【０００８】
この構成により、本発明の請求項１に係る測定装置は、測定者の視線方向の角度に応じて２次元測定データの画像と３次元測定データの画像とを切り替えることができるので、２次元測定データの画像と３次元測定データの画像との間の関係をわかりやすく表示することができる。
【０００９】
本発明の請求項２に係る測定装置は、前記表示画面の表面に設けられ前記測定者によるピンチ操作を含むタッチ操作を検知するタッチ操作検知手段（５１）をさらに備え、前記画像表示制御手段が、前記３次元測定データの画像が前記表示画面に表示されている状態において、前記３つの測定軸のうち第１及び第２の軸（９４、９５）のいずれか一方の軸に対する前記ピンチ操作に応じて前記いずれか一方の軸の尺度を変化させるタッチ操作制御部（６５ｂ）を備え、前記タッチ操作制御部が、前記表示画面上の所定の方向（９３）に対する前記いずれか一方の軸の傾きに応じて前記ピンチ操作を認識するための閾値を変化させるものである構成を有している。
【００１０】
この構成により、本発明の請求項２に係る測定装置は、第１又は第２の軸の傾きに応じて、第１又は第２の軸に対するピンチ操作の操作性を向上させることができる。
【００１１】
本発明の請求項３に係る測定装置は、前記表示画面の表面に設けられ前記測定者によるフリック操作を含むタッチ操作を検知するタッチ操作検知手段（５１）をさらに備え、前記３つの測定軸は時間軸（８７）を含み、前記タッチ操作制御部が、前記３次元測定データの画像が前記表示画面に表示されている状態において、前記時間軸に対して前記フリック操作が行われたことを条件に、前記フリック操作の方向に沿って、現在表示されている３次元測定データの取得時刻よりも過去又は未来に測定された３次元測定データの画像を前記表示画面に表示させるものである構成を有している。
【００１２】
この構成により、本発明の請求項３に係る測定装置は、任意の測定時刻における測定データの画像を表示させることができる。
【００１３】
本発明の請求項４に係る測定装置は、前記タッチ操作制御部が、前記表示画面上の所定の方向に対する前記時間軸の傾きに応じて前記フリック操作を認識するための閾値を変化させるものである構成を有している。
【００１４】
この構成により、本発明の請求項４に係る測定装置は、時間軸の傾きに応じて時間軸に対するフリック操作の操作性を向上させることができる。
【００１５】
本発明の請求項５に係る測定方法は、測定者を撮像する撮像ステップ（Ｓ１１）と、前記撮像ステップにおいて撮像された撮像画像に基づいて前記測定者の視線方向（９１）を検出する視線方向検出ステップ（Ｓ１４）と、互いに直交する３つの予め定められた測定軸のうちの２つの測定軸で表される２次元測定データの画像（７０）を生成する２次元測定データ画像生成ステップ（Ｓ１２）と、前記３つの測定軸で表される３次元測定データの画像（８０）を生成する３次元測定データ画像生成ステップ（Ｓ１３）と、前記２次元測定データ又は前記３次元測定データの画像を表示する表示画面（５２）に直交する直交方向（９２）に対する前記視線方向の角度が所定角度未満であることを条件に前記２次元測定データの画像を前記表示画面に表示させ、前記直交方向に対する前記視線方向の角度が所定角度以上であることを条件に前記視線方向の角度に応じた前記３次元測定データの画像を時系列に前記表示画面に表示させる画像表示制御ステップ（Ｓ１６、Ｓ１７）と、を含む構成を有している。
【００１６】
この構成により、本発明の請求項５に係る測定方法は、測定者の視線方向の角度に応じて２次元測定データの画像と３次元測定データの画像とを切り替えることができるので、２次元測定データの画像と３次元測定データの画像との間の関係をわかりやすく表示することができる。
【発明の効果】
【００１７】
本発明は、２次元測定データの画像と３次元測定データの画像との間の関係をわかりやすく表示することができるという効果を有する測定装置及び測定方法を提供することができるものである。
【図面の簡単な説明】
【００１８】
【図１】本発明に係る測定装置の一実施形態におけるスペクトラムアナライザのブロック構成図である。
【図２】本発明に係る測定装置の一実施形態におけるスペクトラムアナライザの外観正面図である。
【図３】本発明に係る測定装置の一実施形態における２Ｄ画像生成部が生成した２Ｄ測定データの画像の一例を示す図である。
【図４】本発明に係る測定装置の一実施形態における３Ｄ画像生成部が生成した３Ｄ測定データの画像の一例を示す図である。
【図５】本発明に係る測定装置の一実施形態における画像選択部の機能の一例を説明する図である。
【図６】本発明に係る測定装置の一実施形態におけるタッチ操作制御部の機能の一例を説明する図である。
【図７】本発明に係る測定装置の一実施形態におけるスペクトラムアナライザの動作を示すフローチャートである。
【発明を実施するための形態】
【００１９】
以下、本発明の実施形態について図面を用いて説明する。なお、本発明の測定装置をスペクトラムアナライザに適用した例を挙げて説明する。
【００２０】
まず、本発明に係るスペクトラムアナライザの一実施形態における構成について図１に基づき説明する。
【００２１】
図１に示すように、本実施形態におけるスペクトラムアナライザ１０は、ＲＦ（Radio Frequency）処理部２０、ＡＤＣ（アナログデジタルコンバータ）３０、信号解析部４０、タッチパネル５０、画像処理装置６０を備えている。スペクトラムアナライザ１０は、図示しないＣＰＵと、ＲＯＭと、ＲＡＭと、各種インタフェースが接続される入出力回路等を備えたマイクロコンピュータを含む。スペクトラムアナライザ１０は、ＲＯＭに予め格納された制御プログラムを実行させることにより、マイクロコンピュータを、ＲＦ処理部２０、ＡＤＣ３０、信号解析部４０、タッチパネル５０、画像処理装置６０として機能させるようになっている。このスペクトラムアナライザ１０は、本発明に係る測定装置を構成する。
【００２２】
ＲＦ処理部２０は、信号混合器２１、局部発振器２２、掃引制御部２３、フィルタ２４を備えている。
【００２３】
信号混合器２１は、入力する被測定信号と局部発振器２２からの局部発振信号とを混合して出力するようになっている。
【００２４】
局部発振器２２は、指定された周波数帯域で掃引可能な局部発振周波数を有する局部発振信号を発振し、局部発振信号を信号混合器２１に出力するようになっている。
【００２５】
掃引制御部２３は、局部発振器２２に対して、図示しない操作制御部を測定者が操作することによって指定された基準周波数、掃引幅、取得サンプル数等に応じて局部発振信号の周波数を所定ステップで掃引させるようになっている。
【００２６】
フィルタ２４は、被測定信号と局部発振信号との差又は和の周波数成分のうち、例えば差の周波数成分を含む中間周波数信号を抽出するようになっている。
【００２７】
ＡＤＣ３０は、フィルタ２４が出力する中間周波数信号をアナログ値の信号からデジタル値の信号に変換して信号解析部４０に出力するようになっている。
【００２８】
信号解析部４０は、ＡＤＣ３０からの波形データを掃引ごとに記憶する波形メモリ４１を備え、記憶した波形データに対して所定の測定を行うようになっている。例えば、信号解析部４０は、図示しない操作制御部によって測定者が定めた通信規格における測定項目の測定演算処理を行うものである。
【００２９】
タッチパネル５０は、測定者のタッチ操作に応じて操作信号を出力する操作部５１と、この操作部５１に重ねて配置され、液晶ディスプレイからなる表示画面５２と、を備えている。操作部５１は、タッチ操作を検出すると操作位置や操作方向、操作量等を示す操作信号を後述する画像表示制御部６５に出力するようになっている。この操作部５１は、タッチ操作検知手段の一例である。表示画面５２は、画像表示制御部６５からの表示制御信号に基づいて所定の画像を表示するようになっている。
【００３０】
操作部５１が検出するタッチ操作は、測定者が、表示画面５２を指でタッチする操作、表示画面５２を指で所定回数叩くタップ操作、２本の指でタッチしてからつまむ動作及び押し広げる動作であるピンチイン及びピンチアウトと呼ばれるピンチ操作、表示画面５２上に指を置いて一定の方向にはらう操作であるフリック操作、表示画面５２上に指を接触させた状態で指をスライドさせるスワイプ操作等を含む。
【００３１】
画像処理装置６０は、撮像部６１、視線方向検出部６２、画像生成部６３、３Ｄ画像処理部６４、画像表示制御部６５を備えている。
【００３２】
撮像部６１は、後述するカメラ６１ａを備え、測定者を撮像するようになっている。例えば、撮像部６１は、測定者の左右の目や顔の向きを撮像するものである。測定者の撮像データは、視線方向検出部６２に出力される。なお、撮像部６１は、撮像手段の一例である。
【００３３】
視線方向検出部６２は、撮像部６１からの撮像データを解析し、公知の技術を用いて、例えば、測定者の眼部を抽出して目の瞳と白目の位置関係や顔の向き等から測定者の視線を検出するとともに、後述する視線の角度や注視点を検出するようになっている。この視線方向検出部６２は、視線方向検出手段の一例である。
【００３４】
画像生成部６３は、波形メモリ４１から所定の波形データを読み出して、２Ｄ（２次元）測定データの画像を生成する２Ｄ画像生成部６３ａと、３Ｄ（３次元）測定データの画像を生成する３Ｄ画像生成部６３ｂと、を備えている。具体的には、２Ｄ画像生成部６３ａは、例えば、横軸を周波数軸、縦軸を電力軸で表した２Ｄ測定データの画像を生成するものである。３Ｄ画像生成部６３ｂは、例えば、横軸を周波数軸、縦軸を電力軸、画面奥行きの軸を時間軸で表した３Ｄ測定データの画像を生成するものである。なお、２Ｄ画像生成部６３ａは、２次元測定データ画像生成手段の一例である。また、３Ｄ画像生成部６３ｂは、３次元測定データ画像生成手段の一例である。また、図示を省略したが、２Ｄ画像生成部６３ａ及び３Ｄ画像生成部６３ｂは、それぞれ、生成した画像データを記憶するメモリを有している。
【００３５】
３Ｄ画像処理部６４は、３Ｄ測定データの画像を回転する画像回転部６４ａと、３Ｄ測定データの画像を変更する画像変更部６４ｂと、を備えている。
【００３６】
画像回転部６４ａは、視線方向検出部６２から視線方向の角度のデータを入力し、３Ｄ画像生成部６３ｂのメモリから読み出した３Ｄ測定データの画像に対し、測定者の視線方向の角度に応じて画像を所定の回転中心点を基準として回転するようになっている。
【００３７】
画像変更部６４ｂは、例えば、時間軸のピンチ操作により時間軸の尺度を変更したり、時間軸方向のフリック操作により所望の測定時刻の３Ｄ測定データの画像を表示したりすることができるものである。
【００３８】
画像表示制御部６５は、２Ｄ測定データの画像又は３Ｄ測定データの画像を選択する画像選択部６５ａと、測定者のタッチ操作に応じた制御を実行するタッチ操作制御部６５ｂと、を備え、表示画面５２に対する画像表示制御を行うようになっている。この画像表示制御部６５は、画像表示制御手段の一例である。
【００３９】
画像選択部６５ａは、視線方向検出部６２から視線方向の角度のデータを入力し、測定者の視線方向の角度に応じて、２Ｄ画像生成部６３ａが生成した２Ｄ画像又は３Ｄ画像処理部６４が出力する３Ｄ測定データの画像のいずれか一方を選択するようになっている。
【００４０】
タッチ操作制御部６５ｂは、操作部５１から操作信号を入力することにより、測定者が表示画面５２に対して行ったピンチ操作やフリック操作等に関する情報を取得し、取得した情報に基づいて３Ｄ画像処理部６４に制御信号を出力するようになっている。例えば、タッチ操作制御部６５ｂは、操作部５１から取得した情報により、測定者が時間軸に対してピンチインの操作を行ったことを取得した場合には、ピンチインの操作量に応じて時間軸の尺度を小さくした３Ｄ測定データの画像を画像変更部６４ｂに生成させる制御信号を出力する。また、例えば、タッチ操作制御部６５ｂは、操作部５１から取得した情報により、測定者が３Ｄ測定データの時間軸に対してフリック操作を行ったことを取得した場合には、そのフリック操作の方向に応じて、現在表示されている測定データの画像よりも時間的に古い又は新しい測定データの画像を画像変更部６４ｂに生成させる制御信号を出力する。
【００４１】
次に、画像処理装置６０の詳細な構成や主な機能について、図２〜図６を用いて説明する。
【００４２】
図２は、本実施形態におけるスペクトラムアナライザ１０の外観正面図を示している。図２に示すように、スペクトラムアナライザ１０は、タッチパネル５０を備えている。タッチパネル５０は表示画面５２を備えている。表示画面５２の上辺側のほぼ中央部には、撮像部６１の一部を構成するカメラ６１ａが設けられている。なお、図２では１つのカメラ６１ａを設けた例を図示しているが、本発明はこれに限定されず、例えばステレオカメラを用いる構成であってもよい。
【００４３】
図３は、２Ｄ画像生成部６３ａが生成した２Ｄ測定データの画像７０を示している。この２Ｄ測定データの画像７０は、横軸を周波数軸、縦軸を電力軸として表されている。この２Ｄ測定データの画像７０は、測定者が、表示画面５２（図２参照）の例えば正面から表示画面５２を見た場合に表示画面５２に表示される画像であって、所定時間間隔で更新表示される画像である。
【００４４】
図４は、３Ｄ画像生成部６３ｂが生成した３Ｄ測定データの画像８０を示している。この３Ｄ測定データの画像８０は、横軸を周波数軸、縦軸を電力軸、奥行き方向の軸を時間軸として表されている。３Ｄ測定データの画像８０は、測定者が、表示画面５２（図２参照）の左斜め上方向から表示画面５２を見た場合に表示画面５２に表示される画像である。
【００４５】
また、３Ｄ測定データの画像８０は、時系列で表されており、測定時刻が最も新しい測定データの画像８１から、所定の時間間隔で測定された測定データの画像８２〜８５を含み、所定の時間間隔で更新表示される。例えば、図４に示した表示タイミングでの測定データの画像８５は、次の表示タイミングでは測定データの画像８４の位置で表示される。
【００４６】
また、３Ｄ測定データの画像８０は、測定者の視線方向の角度に応じて、図示の回転中心点８６を中心として回転させられる。この回転中心点８６は、本実施形態では、測定データの画像８１のピーク付近の周波数ｆを示す周波数軸と直交する時間軸８７上に設けられている。
【００４７】
図４において、タッチ操作制御部６５ｂが、測定者が時間軸８７にほぼ平行で、測定データの画像８５から８１に向かう方向に指でフリック操作を行ったと判断した場合には、測定データの画像８５よりも時間的に古い過去の測定データの画像を画像変更部６４ｂに生成させ、画像表示制御部６５は、画像変更部６４ｂが生成した画像を表示画面５２に表示させる。その結果、表示画面５２には、測定データの画像８５よりも時間的に古い過去の測定データの画像が時系列に表示される。また、同様に、タッチ操作制御部６５ｂが、過去の測定データの画像が時系列に表示された状態から、前述の方向の反対方向にフリック操作を行ったと判断した場合には、現表示よりも時間的に新しい未来の測定データの画像が時系列に表示される。なお、タッチ操作制御部６５ｂが、フリック操作に代えてスワイプ操作に基づいて測定データの画像を変更させる構成としてもよい。
【００４８】
図５は、画像選択部６５ａの機能の一例を説明する図であり、図２に示したスペクトラムアナライザ１０の上方から見た図である。画像選択部６５ａは、表示画面５２の表面に直交する直交方向９２に対し、測定者の視線方向９１の角度が例えば３０°未満である場合には２Ｄ画像生成部６３ａが生成した２Ｄ測定データの画像を選択し、測定者の視線方向９１の角度が３０°以上である場合には３Ｄ画像生成部６３ｂが生成した３Ｄ測定データの画像を選択するようになっている。直交方向９２は、表示画面５２の表面上の測定者の注視点５２ａを通る点である。注視点５２ａは、視線方向検出部６２が検出した視線方向９１と表示画面５２の表面との交点である。なお、視線方向９１は、例えば、測定者の左右それぞれの目の視線方向を用いて、測定者の眉間（両目の間）を基準として求めることができる。
【００４９】
図６は、タッチ操作制御部６５ｂの機能の一例を説明する図である。タッチ操作制御部６５ｂは、３Ｄ測定データの画像が表示画面５２に表示されている状態において、３つの測定軸のうち例えば時間軸Ｔ又は周波数軸Ｆに対するピンチ操作に応じて軸の尺度を変化させるものである。なお、図６では、測定データの画像や電力軸の図示を省略している。
【００５０】
図６（ａ）〜（ｃ）は、タッチ操作制御部６５ｂが、表示画面５２上の所定の方向９３に対する時間軸９４の傾きに応じてピンチ操作を認識するための閾値を変化させることを示している。以下、具体的に説明する。なお、以下の説明において、時間軸９４は、第１の軸の一例である。また、周波数軸９５は、第２の軸の一例である。
【００５１】
まず、図６（ａ）に示すように、タッチ操作制御部６５ｂは、所定の方向９３と時間軸９４とのなす角度がαであって、測定者が図中の閾値θＴＨの範囲内の角度でピンチ操作を行った場合にはそのピンチ操作は時間軸９４に対してなされたと判断し、閾値θＴＨの範囲外の角度でピンチ操作を行った場合にはそのピンチ操作は周波数軸９５に対してなされたと判断する。例えば、タッチ操作制御部６５ｂは、ピンチ操作の方向が図中の方向９６であれば、そのピンチ操作は時間軸９４に対してなされたと判断する。
【００５２】
次に、図６（ｂ）に示すように、タッチ操作制御部６５ｂは、所定の方向９３と時間軸９４とのなす角度がβ（β＞α）であって、測定者が図中の閾値θＴＨの範囲内の角度でピンチ操作を行った場合にはそのピンチ操作は時間軸９４に対してなされたと判断し、閾値θＴＨの範囲外の角度でピンチ操作を行った場合にはそのピンチ操作は周波数軸９５に対してなされたと判断する。
【００５３】
さらに、図６（ｃ）に示すように、タッチ操作制御部６５ｂは、所定の方向９３と時間軸９４とのなす角度がγ（γ＞β）であって、測定者が図中の閾値θＴＨの範囲内の角度でピンチ操作を行った場合にはそのピンチ操作は時間軸９４に対してなされたと判断し、閾値θＴＨの範囲外の角度でピンチ操作を行った場合にはそのピンチ操作は周波数軸９５に対してなされたと判断する。
【００５４】
以上のように、タッチ操作制御部６５ｂは、表示画面５２上の所定の方向９３に対する時間軸９４の傾きに応じて、時間軸９４に対するピンチ操作を認識するための閾値θＴＨを変化させるものである。
【００５５】
この構成により、本実施形態におけるスペクトラムアナライザ１０は、時間軸９４の傾きが比較的小さい場合（図６（ａ））、つまり測定者が時間軸９４の幅を比較的大きく視認できる場合には時間軸９４を認識するための閾値を大きくして時間軸９４に対する操作性を向上させ、時間軸９４の傾きが比較的大きい場合（図６（ｃ））、つまり測定者が周波数軸９５の幅を比較的大きく視認できる場合には周波数軸９５を認識するための閾値を大きくして周波数軸９５に対する操作性を向上させることができる。
【００５６】
なお、図６の説明では、所定の方向９３に対する時間軸９４の角度を例に挙げて説明したが、所定の方向９３に対する周波数軸９５の角度を基準として周波数軸９５に対するピンチ操作を認識するための閾値を変化させる構成としてもよい。また、図６に示した例では、所定の方向９３を表示画面５２の長辺に平行な方向としているが、本発明はこれに限定されない。また、図６に示した例では、ピンチ操作を認識するための閾値を変化させる例を挙げて説明したが、例えば図４を用いて説明したフリック操作において、フリック操作を認識するための閾値を変化させる構成としてもよい。
【００５７】
次に、本実施形態におけるスペクトラムアナライザ１０の動作について図７を用いて説明する。なお、スペクトラムアナライザ１０が入力した被測定信号はＲＦ処理部２０で処理され、ＡＤＣ３０、信号解析部４０と送られて波形メモリ４１に記憶されるが、これらの動作は公知であるので説明を省略する。
【００５８】
撮像部６１は、測定者を撮像し（ステップＳ１１）、撮像データを視線方向検出部６２に出力する。
【００５９】
２Ｄ画像生成部６３ａは、波形メモリ４１から波形データを読み出し、２Ｄ測定データの画像を生成し（ステップＳ１２）、２Ｄ画像生成部６３ａのメモリに記憶する。
【００６０】
３Ｄ画像生成部６３ｂは、波形メモリ４１から波形データを読み出し、３Ｄ測定データの画像を生成し（ステップＳ１３）、３Ｄ画像生成部６３ｂメモリに記憶する。
【００６１】
視線方向検出部６２は、撮像部６１からの撮像データを解析し、測定者の視線方向を検出する（ステップＳ１４）。また、視線方向検出部６２は、図５に示した視線方向の角度や注視点を検出する。
【００６２】
画像選択部６５ａは、視線方向検出部６２から視線方向の角度のデータを入力し、表示画面５２に直交する直交方向９２に対する視線方向９１の角度（図５参照）が所定の閾値（例えば３０°）未満か否かを判断する（ステップＳ１５）。
【００６３】
ステップＳ１５において、表示画面５２に直交する直交方向９２に対する視線方向９１の角度が所定の閾値未満であると判断された場合には、画像選択部６５ａは、２Ｄ画像生成部６３ａのメモリから２Ｄ測定データの画像のデータを読み出し、２Ｄ測定データの画像を表示画面５２に表示し（ステップＳ１６）、ステップＳ１１の処理に戻る。
【００６４】
一方、ステップＳ１５において、表示画面５２に直交する直交方向９２に対する視線方向９１の角度が所定の閾値未満であると判断されなかった場合には、画像選択部６５ａは、視線方向の角度に応じた３Ｄ測定データの画像のデータを画像回転部６４ａから入力し、３Ｄ測定データの画像を表示画面５２に表示する（ステップＳ１７）。
【００６５】
ここで、画像回転部６４ａは、視線方向検出部６２から視線方向９１の角度のデータを入力しており、３Ｄ画像生成部６３ｂのメモリから３Ｄ測定データの画像のデータを読み出し、視線方向９１の角度に応じて回転中心点８６を基準として回転させた３Ｄ測定データの画像を取得している。
【００６６】
タッチ操作制御部６５ｂは、操作部５１からの操作信号に基づき、測定者が表示画面５２に対してピンチ操作を行ったか否かを判断する（ステップＳ１８）。
【００６７】
ステップＳ１８において、測定者が表示画面５２に対してピンチ操作を行ったと判断された場合には、画像選択部６５ａは、ピンチ操作量に応じた３Ｄ測定データの画像を画像変更部６４ｂから入力し、３Ｄ測定データの画像を表示画面５２に表示する（ステップＳ１９）。
【００６８】
ここで、画像変更部６４ｂは、タッチ操作制御部６５ｂからピンチ操作に関するピンチ操作情報を入力しており、３Ｄ画像生成部６３ｂのメモリから３Ｄ測定データの画像のデータを読み出し、ピンチ操作情報に応じて変更した３Ｄ測定データの画像を取得している。例えば、画像変更部６４ｂは、測定者が時間軸に対してピンチインの操作を行った場合には、そのピンチ操作情報をタッチ操作制御部６５ｂから入力し、ピンチインの操作量に応じて時間軸の尺度を小さくした３Ｄ測定データの画像（画像間隔が密になった３Ｄ画像）を取得する。
【００６９】
ステップＳ１９について、図６（ａ）を用いて具体的に説明する。タッチ操作制御部６５ｂは、測定者が図中の閾値θＴＨの範囲内の角度でピンチインの操作を行ったと判断した場合には、そのピンチインの操作は時間軸９４に対してなされたと判断する。次いで、画像変更部６４ｂは、そのピンチインの操作に関する情報（ピンチ操作情報）をタッチ操作制御部６５ｂから入力し、ピンチインの操作量に応じて時間軸の尺度を小さくした３Ｄ測定データの画像を取得する。そして、画像選択部６５ａは、ピンチインの操作量に応じた３Ｄ測定データの画像を画像変更部６４ｂから入力し、３Ｄ測定データの画像を表示画面５２に表示する。
【００７０】
一方、ステップＳ１８において、測定者が表示画面５２に対してピンチ操作を行ったと判断されなかった場合には、タッチ操作制御部６５ｂは、測定者が表示画面５２に対してフリック操作を行ったか否かを判断する（ステップＳ２０）。
【００７１】
ステップＳ２０において、測定者が表示画面５２に対してフリック操作を行ったと判断された場合には、画像選択部６５ａは、フリック操作量（速度や加速度）に応じた３Ｄ測定データの画像を画像変更部６４ｂから入力し、３Ｄ測定データの画像を表示画面５２に表示する（ステップＳ２１）。
【００７２】
ステップＳ２１について、図４を用いて具体的に説明する。タッチ操作制御部６５ｂは、測定者が時間軸８７にほぼ平行で、測定データの画像８５から８１に向かう方向に指でフリック操作を行ったと判断した場合には、測定データの画像８５よりも時間的に古い過去の測定データの画像を画像変更部６４ｂに生成させ、画像表示制御部６５は、画像変更部６４ｂが生成した画像を表示画面５２に表示させる。その結果、表示画面５２には、測定データの画像８５よりも時間的に古い過去の測定データの画像が時系列に表示される。
【００７３】
ここで、画像変更部６４ｂは、タッチ操作制御部６５ｂからフリック操作に関するフリック操作情報を入力しており、３Ｄ画像生成部６３ｂのメモリから３Ｄ測定データの画像のデータを読み出し、フリック操作情報に応じて変更した３Ｄ測定データの画像を取得している。例えば、画像変更部６４ｂは、測定者が時間軸に対して、図４に示した測定データの画像８５から８１に向かう方向に指でフリック操作を行った場合には、そのフリック操作情報をタッチ操作制御部６５ｂから入力し、フリック操作量に応じて測定データの画像８５よりも時間的に古い過去の測定データの画像が時系列に表示される。
【００７４】
一方、ステップＳ２０において、測定者が表示画面５２に対してフリック操作を行ったと判断されなかった場合には、ステップＳ１１の処理に戻る。
【００７５】
以上のように、本実施形態におけるスペクトラムアナライザ１０は、測定者の視線方向の角度に応じて２次元測定データの画像と３次元測定データの画像とを切り替えることができるので、２次元測定データの画像と３次元測定データの画像との間の関係をわかりやすく表示することができる。
【００７６】
その結果、本実施形態におけるスペクトラムアナライザ１０は、測定者に測定結果を容易に把握させることができる。
【産業上の利用可能性】
【００７７】
以上のように、本発明に係る測定装置及び測定方法は、２次元測定データの画像と３次元測定データの画像との間の関係をわかりやすく表示することができるという効果を有し、２次元及び３次元で表される測定データの画像を表示可能な測定装置及び測定方法として有用である。
【符号の説明】
【００７８】
１０  スペクトラムアナライザ
５０  タッチパネル
５１  操作部（タッチ操作検知手段）
５２  表示画面
６０  画像処理装置
６１  撮像部（撮像手段）
６１ａ  カメラ
６２  視線方向検出部（視線方向検出手段）
６３  画像生成部
６３ａ  ２Ｄ画像生成部（２次元測定データ画像生成手段）
６３ｂ  ３Ｄ画像生成部（３次元測定データ画像生成手段）
６４  ３Ｄ画像処理部
６４ａ  画像回転部
６４ｂ  画像変更部
６５  画像表示制御部（画像表示制御手段）
６５ａ  画像選択部
６５ｂ  タッチ操作制御部（タッチ操作制御部）
７０  ２Ｄ測定データの画像（２次元測定データの画像）
８０  ３Ｄ測定データの画像（３次元測定データの画像）
８７  時間軸
９１  視線方向
９２  直交方向
９３  所定の方向
９４  時間軸（第１の軸）
９５  周波数軸（第２の軸）
【図１】
2017123019.tif 000003
【図２】
2017123019.tif 000004
【図３】
2017123019.tif 000005
【図４】
2017123019.tif 000006
【図５】
2017123019.tif 000007
【図６】
2017123019.tif 000008
【図７】
2017123019.tif 000009